(57)【要約】【課題】剣道競技で、剣道具の面の突き垂から外れた突き技の竹刀の先端から、競技者を守ることができ、ゴワゴワ感が少なく、激しい競技者の動きにも対応できる耐突技剣道衣を提供することを目的とする。【解決手段】剣道衣１の襟を立襟３とする。また、剣道衣１の前開き部分の、少なくとも襟から胸にかけてマジックテープ（登録商標）５、又はファスナーによって開閉する構造にする。よって、競技者１０１の咽頭１２９の部分や胸の部分は、剣道衣１の厚手の生地９で覆われる。このため、外れた突き技の竹刀１３１の先端から、競技者１０１の咽頭１２９の部分を含め広い範囲を守ることができる。また、補助防具を用いる場合に比べ、剣道衣１の一重の生地で済み、ゴワゴワ感が少ない。また、激しい競技者１０１の動きにも補助防具などが外れてしまう可能がない。【選択図】図1
0003121341.tif 000002
【実用新案登録請求の範囲】
【請求項１】
剣道着のうちの上半身を覆う剣道衣であって、立襟と、少なくとも襟から胸にかけてマジックテープ（登録商標）、又はファスナーによって開閉する前開き部分と、を有することを特徴とする耐突技剣道衣。
【考案の詳細な説明】
【技術分野】
【０００１】
この考案は、突き技から競技者を守る剣道衣の構造に関する。
【背景技術】
【０００２】
図４〜図６に示すように、剣道競技において、競技者１０１は、剣道具１０３の下に剣道着１０５を着て、竹刀を持って競技を行う。  図４に示すように、剣道具１０３は、頭部を覆う面１０７、腹部を覆う胴１０９、手を覆う小手、及び下腹部を覆う垂からなる。面１０７は、顔面を守る面金１１５の周囲を、上側と左右側を連続して、面布団１１７が覆い、面技から頭部を守る。面金１１５の周囲のうち下側には、突き垂１１９が設けられれ、突き技から咽頭を守る。
【０００３】
また、図６に示すように剣道着１０５は、上半身を覆う剣道衣１２１と、下半身を覆う袴１２３とからなる。剣道衣１２１は、厚手の生地を有する短い和服であり、帯１２５をもって体に着ける。胸紐１２７により胸元ができるだけはだけないようになっている。
剣道競技において、突き技（図５）は、有効とされるためには、剣道具１０３の面金１１５の下側に設けられる突き垂１１９といわれる部分を突かなくてはならないため、突き技は、咽頭１２９の部分に集中する。そして、競技中に競技者１０１の頭部は前後左右に激しく動く。また、面布団１１７や突き垂１１９は、頭部の動きを妨げないように、また、面１０７の重量を重くしすぎないように、所定の大きさに定まっている。また、頭部の動きに従って前後左右に激しく動く。
【０００４】
このため突き技の竹刀１３１の先端が、突き垂１１９を外れて、競技者１０１の咽頭１２９を実際に激しく突いてしまうことも珍しくない（図５）。この外れた突き技は、競技者１０１にとって非常に危険であり、強い痛みを伴って、剣道競技から競技初心者を遠ざける原因になっている恐れがある。
【０００５】
下記の特許文献１は、この外れた突き技から競技者１０１を守るために、補助防具を提案している。すなわち、剣道衣１２１の左右の襟に、ポケット状の取付け部を内側に設け、これら二つの取付け部に、薄板状の補助防具を渡して差込み、咽頭１２９の部分を守る。  
【特許文献１】実開平３−８０７６６
【考案の開示】
【考案が解決しようとする課題】
【０００６】
しかしながら、特許文献１は、剣道衣の厚手の生地と、薄板状の補助防具とが重なっており、ゴワゴワ感があり、不快な感じが否めない。薄板状の補助防具はポケット状の取付け部に差し込まれているだけであり、激しい競技者の動きによっては、外れてしまう可能性がある。
【０００７】
この考案は、以上の問題点を解決するために、ゴワゴワ感が少なく、激しい競技者の動きにも補助防具などが外れてしまう可能がない耐突技剣道衣を提供することを目的とする。
【課題を解決するための手段】
【０００８】
以上の課題を解決するために、この考案は、 剣道着のうちの上半身を覆う剣道衣であって、立襟と、少なくとも襟から胸にかけてマジックテープ（登録商標）、又はファスナーによって開閉する前開き部分と、を有することを特徴とする耐突技剣道衣である。
【考案の効果】
【０００９】
この考案によれば、剣道衣が、立襟から胸にかけてマジックテープ（登録商標）、又はファスナーによって閉じられるので、咽頭の部分や胸の部分は、剣道衣の厚手の生地で覆われる。よって、外れた突き技の竹刀の先端から、競技者の咽頭の部分を含め広い範囲を守ることができる。また、補助防具を用いる場合に比べ、剣道衣の生地の一重で済み、ゴワゴワ感が少ない。また、激しい競技者の動きにも補助防具などが外れてしまう可能がない。さらに、従来の胸紐に比べて、胸元がはだけるような着崩れが少ない。
【考案を実施するための最良の形態】
【００１０】
この考案の実施形態を、図１〜図３に示す。
図２、図３に示すように、この実施形態の剣道衣１は、従来の剣道衣１２１（図６）と同様に、剣道着１０５のうちの上半身を覆う剣道衣１である。そして、襟は、首の基部に沿って立ち上がる立襟３、いわゆるハイネックとなっている。そして、襟から胸、さらには腹にかけて、前開き部分４に、マジックテープ（登録商標）５が設けられ、狭い幅７で左右が重なり、胸紐１２７（図６）などを設けなくても胸元がはだけることはない。
【００１１】
この剣道衣１は、全体として厚手の生地９を有する。生地の材質は、綿など、従来の剣道衣１に使用される材質が採用されうる。裾の近くの部分は、薄手の生地で、刺し子１１により補強されている。また、裾部の前部と後部は、逆Ｖ状にカット１３され、剣道衣１の上から着ける袴１２３の紐１２４で縛っても、嵩張らないようになっている。
【００１２】
立襟３とすることで、夏などは、暑くなる可能性があり、これを避けるために、剣道具１０３の胴１０９の陰に隠れる部分、脇下の部分、あるいは背部などを、メッシュにすることも可能である。
【００１３】
「実施形態の効果」
この実施形態によれば、この剣道衣１を着た上から通常の剣道具１０３を身に着けても通常の外観と変わることはない（図５）。しかし、立襟３から胸にかけてマジックテープ（登録商標）５によって閉じられるので、咽頭１２９の部分や胸の部分は、剣道衣１の本来の厚手の生地９で覆われる。特に、咽頭１２９は立襟３で覆われる。
よって、図１に示すように突き垂１１９から外れた突き技の竹刀１３１の先端が、競技者１０１の咽頭１２９の部分を含め広い範囲に、直接に接してしまうことを防止できる。
【００１４】
また、従来の補助防具を用いる場合に比べ、剣道衣１の生地の一重で済み、ゴワゴワ感が少ない。また、補助防具を用いないので、激しい競技者１０１の動きにも補助防具などが外れてしまう可能がない。
立襟３から胸にかけてマジックテープ（登録商標）５によって連続的に閉じられるので、従来の胸紐１２７に比べて、胸元がはだけるような着崩れが少なくて済む。
【００１５】
「他の実施形態」
以上の実施形態では、前開き部分４は、マジックテープ（登録商標）５で開閉するものであったが、他の実施形態では、ファスナーによって開閉するものとしてもよい。プラスチック製のファスナーであれば、やわらかく、違和感も少ない。
以上の実施形態では、立襟から胸、さらには腹にかけて連続してマジックテープ（登録商標）で開閉されるものであったが、他の実施形態では、この開閉するラインを短くして、立襟から胸のみをマジックテープ（登録商標）で開閉することもできる。腹の部分は、帯１２６などを用いることで、はだけてしまう可能性は低い。
【図面の簡単な説明】
【００１６】
【図１】この考案の一実施形態を示す剣道衣の効果を示すもので、突き技の竹刀が突き垂を外した様子を正面下方から見上げた斜視図である。
【図２】図１の剣道衣を、剣道競技者が着た状態で正面から示す図である。
【図３】図１の剣道衣を正面から示す図である。
【図４】剣道競技者が剣道着と剣道具を身につけた状態を示す正面図である。
【図５】従来の問題を示すもので、突き技の竹刀が突き垂を外した様子を正面下方から見上げた斜視図である。
【図６】従来の剣道衣を、剣道競技者が着た状態で正面から示す図である。
【符号の説明】
【００１７】
１…剣道衣、３…立襟、５…マジックテープ（登録商標）、７…幅、９…厚手の生地、１１…子、１３…カット、１０１…競技者、１０３…剣道具、１０５…剣道着、１０７…面、１０９…胴、１１５…面金、１１７…面布団、１１９…突き垂、１２１…剣道衣、１２３…袴、１２５…帯、１２７…胸紐、１２９…咽頭、１３１…竹刀。
【図１】
0003121341.tif 000003
【図２】
0003121341.tif 000004
【図３】
0003121341.tif 000005
【図４】
0003121341.tif 000006
【図５】
0003121341.tif 000007
【図６】
0003121341.tif 000008